(57)【特許請求の範囲】
【請求項１】
複数枚の硬貨を一括投入可能な硬貨一括投入口を有する自動釣銭入出金機の筐体と、前記硬貨一括投入口を開閉させるよう前記筐体に揺動可能に取り付けられかつ閉状態において前記硬貨一括投入口と連通する硬貨投入スリットを有する硬貨一括投入口カバーと、前記硬貨一括投入口を閉じた状態に前記硬貨一括投入口カバーをロックするロック部とを備え、
前記ロック部は、前記硬貨一括投入口カバーの外面側から内面側に亘って貫通して回動可能に設けられた操作軸と、回動する前記操作軸における前記内面側の外周面と摺接するよう前記硬貨一括投入口カバーの内面側に設けられた係止部材と、前記係止部材を前記操作軸側へ付勢する係止部材用付勢部材と、前記係止部材と係脱可能に前記筐体に設けられた係止凹部とを有し、
前記硬貨一括投入口カバーの閉状態において、前記操作軸を一方向に回動させることにより前記係止凹部に係止した前記係止部材を前記係止部材用付勢部材の付勢力に抗して前記操作軸の軸心から離間する方向に移動させて前記係止凹部から離脱させるように構成されたことを特徴とする硬貨一括投入口カバーの開閉構造。
【請求項２】
前記操作軸は、前記係止部材と摺接可能な摺接面部を有する請求項１に記載の硬貨一括投入口カバーの開閉構造。
【請求項３】
前記摺接面部は、円弧部と、前記円弧部よりも軸心側に凹んだ凹部とを有する請求項２に記載の硬貨一括投入口カバーの開閉構造。
【請求項４】
前記摺接面部は、円弧部と、前記円弧部よりも径方向外方へ突出した凸部とを有する請求項２に記載の硬貨一括投入口カバーの開閉構造。
【請求項５】
前記係止部材は、Ｕ形に形成されており、前記Ｕ形の中間部分に設けられて前記操作軸の摺接面部と摺接する摺接部と、前記係止凹部と係脱可能に前記Ｕ形の両端部に設けられた係止部とを有する請求項２〜４のいずれか１つに記載の硬貨一括投入口カバーの開閉構造。
【請求項６】
一方向に回動させた前記操作軸を他方向に回動させるよう付勢する操作軸用付勢部材をさらに備えた請求項１〜５のいずれか１つに記載の硬貨一括投入口カバーの開閉構造。
【請求項７】
前記操作軸は、前記外面側の端部に鍵と嵌合する鍵嵌合部を有する請求項１〜６のいずれか１つに記載の硬貨一括投入口カバーの開閉構造。
【請求項８】
請求項１〜７のいずれか１つに記載の硬貨一括投入口カバーの開閉構造と、前記硬貨投入スリットまたは前記硬貨一括投入口に投入された硬貨の金種を識別する硬貨識別部と、硬貨を金種別に収納する複数の硬貨収納出金装置と、金種を識別された硬貨をその硬貨に対応する硬貨収納出金装置へ搬送する硬貨搬送部と、前記硬貨収納部内の硬貨を釣銭として払い出す硬貨払出口とを備えた自動釣銭入出金機。
【発明の詳細な説明】
【技術分野】
【０００１】
本発明は硬貨一括投入口カバーの開閉構造およびそれを備えた自動釣銭入出金機に関する。
【背景技術】
【０００２】
自動販売機、自動券売機、セルフ式ガソリンスタンドやスーパーマーケット等に設置された自動精算機などには自動釣銭入出金機が内蔵されており、この自動釣銭入出金機には硬貨を金種別に収納する複数の硬貨収納部を有する硬貨収納出金装置が備えられている（例えば特許文献１および２参照）。
【０００３】
例えば、１円、５円、１０円、５０円、１００円および５００円硬貨を個別に収納することができる硬貨収納出金装置には６つの硬貨収納部が設けられており、特許文献１では、１円および５円硬貨を除く４種類の硬貨を金種別に収納する場合が例示されている。
【０００４】
硬貨収納出金装置において、複数の硬貨収納部は、収納する硬貨の金種に応じた内径を有する円筒形にそれぞれ形成され、複数枚の硬貨を平積みした状態で収納するよう構成されている。また、各硬貨収納部には、それらの下部から硬貨を１枚ずつ排出する硬貨排出機構が設けられている。
さらに、硬貨収納出金装置には、通常、複数の硬貨収納部のうち少なくとも１つが満杯となった時点の硬貨を収納する不特定硬貨収納部が設けられている。
【０００５】
このような自動釣銭入出金機は、投入口に投入された硬貨の金種を識別し、硬貨収納出金装置の金種に応じた硬貨収納部へ硬貨を搬送して収納し、釣銭が必要な場合は釣銭に応じた硬貨収納部から硬貨を１枚ずつ排出して硬貨払出口へ送るように構成されている。  さらに、自動釣銭入出金機は、一般に、釣銭切れを生じる前に管理者に対して警告ランプ等で警告するよう構成されている。
【０００６】
自動釣銭入出金機が釣銭切れの警告を発すると、管理者は釣銭切れしそうな硬貨をその硬貨収納部へ補充する。硬貨を補充する間、客は自動釣銭入出金機を使用することができなくなる。そのため、自動釣銭入出金機は、一般に作業効率化の観点から、複数枚の硬貨を一括投入できる硬貨一括投入口が設けられている。特許文献２の場合、決済操作ユニットの上面に硬貨一括投入口が設けられ、ロック付きの硬貨一括投入口カバーによって硬貨一括投入口が開閉できるようになっている。
【先行技術文献】
【特許文献】
【０００７】
【特許文献１】特開平５−５４２３１号公報
【特許文献２】特許第５０００６００号公報
【発明の概要】
【発明が解決しようとする課題】
【０００８】
特許文献２の硬貨一括投入口カバーのロックは、鍵穴を有する軸部と、軸部を回動可能に保持するシリンダと、軸部と一体回転可能に連結された規制部材（デッドボルト）とを有し、鍵穴に差し込んだ鍵および軸部と一緒に規制部材を回動させることにより、規制部材がアンロック位置に移動してロックが解除され硬貨一括投入口カバーが開くように構成されている。
【０００９】
このように構成された特許文献２のロックは、部品点数が多く、構造が複雑であり、小型化に向かないものであった。
【００１０】
本発明は、このような課題に鑑みなされたものであり、部品点数が減少し、簡素な構造で小型化を図ることができるロック部を備えた硬貨一括投入口カバーの開閉構造およびそれを備えた自動釣銭入出金機を提供することを目的とする。
【課題を解決するための手段】
【００１１】
かくして、本発明によれば、複数枚の硬貨を一括投入可能な硬貨一括投入口を有する自動釣銭入出金機の筐体と、前記硬貨一括投入口を開閉させるよう前記筐体に揺動可能に取り付けられかつ閉状態において前記硬貨一括投入口と連通する硬貨投入スリットを有する硬貨一括投入口カバーと、前記硬貨一括投入口を閉じた状態に前記硬貨一括投入口カバーをロックするロック部とを備え、
前記ロック部は、前記硬貨一括投入口カバーの外面側から内面側に亘って貫通して回動可能に設けられた操作軸と、回動する前記操作軸における前記内面側の外周面と摺接するよう前記硬貨一括投入口カバーの内面側に設けられた係止部材と、前記係止部材を前記操作軸側へ付勢する係止部材用付勢部材と、前記係止部材と係脱可能に前記筐体に設けられた係止凹部とを有し、
前記硬貨一括投入口カバーの閉状態において、前記操作軸を一方向に回動させることにより前記係止凹部に係止した前記係止部材を前記係止部材用付勢部材の付勢力に抗して前記操作軸の軸心から離間する方向に移動させて前記係止凹部から離脱させるように構成された硬貨一括投入口カバーの開閉構造が提供される。
【００１２】
また、本発明の別の観点によれば、前記硬貨一括投入口カバーの開閉構造と、前記硬貨投入スリットまたは前記硬貨一括投入口に投入された硬貨の金種を識別する硬貨識別部と、硬貨を金種別に収納する複数の硬貨収納出金装置と、金種を識別された硬貨をその硬貨に対応する硬貨収納出金装置へ搬送する硬貨搬送部と、前記硬貨収納部内の硬貨を釣銭として払い出す硬貨払出口とを備えた自動釣銭入出金機が提供される。
【発明の効果】
【００１３】
本発明の硬貨一括投入口カバーの開閉構造におけるロック部は、操作軸を一方向に回動させることにより係止凹部に係止した係止部材を前記係止部材用付勢部材の付勢力に抗して操作軸の軸心から離間する方向に移動させて係止凹部から離脱させるように構成されている。
このロック部の構成は、従来の部品点数が多く複雑な構造のロックシリンダと比べて部品点数が減少し、簡素な構造で小型化を図ることができる。
【図面の簡単な説明】
【００１４】
【図１】本発明の自動釣銭入出金機の実施形態１を示すブロック図である。
【図２】実施形態１の自動釣銭入出金機を示す斜視図である。
【図３】実施形態１の自動釣銭入出金機を示す正面図である。
【図４】実施形態１の自動釣銭入出金機における硬貨一括投入口カバーのロック部を解除する様子を示す説明図である。
【図５】実施形態１の自動釣銭入出金機における硬貨一括投入口カバーが開いた状態を示す部分的な斜視図である。
【図６】実施形態１におけるロック部の操作軸を示す斜視図である。
【図７】実施形態１におけるロック部の操作軸の周辺構造を示す一部断面側面図である。
【図８（Ａ）】実施形態１におけるロック部のロック状態を示す説明図である。
【図８（Ｂ）】実施形態１におけるロック部のロック解除状態を示す説明図である。
【図９】実施形態１の自動釣銭入出金機における硬貨一括投入口カバーが閉じた状態を示す簡略右側断面図である。
【図１０】実施形態１の自動釣銭入出金機における硬貨一括投入口カバーが開いた状態を示す簡略右側断面図である。
【図１１（Ａ）】実施形態２におけるロック部のロック状態を示す説明図である。
【図１１（Ｂ）】実施形態２におけるロック部のロック解除状態を示す説明図である。
【発明を実施するための形態】
【００１５】
本発明の硬貨一括投入口カバーの開閉構造は、複数枚の硬貨を一括投入可能な硬貨一括投入口を有する自動釣銭入出金機の筐体と、前記硬貨一括投入口を開閉させるよう前記筐体に揺動可能に取り付けられかつ閉状態において前記硬貨一括投入口と連通する硬貨投入スリットを有する硬貨一括投入口カバーと、前記硬貨一括投入口を閉じた状態に前記硬貨一括投入口カバーをロックするロック部とを備え、
前記ロック部は、前記硬貨一括投入口カバーの外面側から内面側に亘って貫通して回動可能に設けられた操作軸と、回動する前記操作軸における前記内面側の外周面と摺接するよう前記硬貨一括投入口カバーの内面側に設けられた係止部材と、前記係止部材を前記操作軸側へ付勢する係止部材用付勢部材と、前記係止部材と係脱可能に前記筐体に設けられた係止凹部とを有し、
前記硬貨一括投入口カバーの閉状態において、前記操作軸を一方向に回動させることにより前記係止凹部に係止した前記係止部材を前記係止部材用付勢部材の付勢力に抗して前記操作軸の軸心から離間する方向に移動させて前記係止凹部から離脱させるように構成されている。
【００１６】
本発明の硬貨一括投入口カバーの開閉構造は、次のように構成されてもよく、それらが適宜組み合わされてもよい。
（１）前記操作軸は、前記係止部材と摺接可能な摺接面部を有していてもよい。
このようにすれば、係止部材を係止凹部から離脱させるよう移動させる移動機構として操作軸を機能させることができる。
【００１７】
（２）前記摺接面部は、円弧部と、前記円弧部よりも軸心側に凹んだ凹部とを有していてもよい。
この操作軸によれば、凹部に係止部材が接触した状態のときに係止部材が係止凹部に係止し、操作軸を回動させて円弧部に係止部材が接触した状態のときに係止部材が移動して係止凹部から離脱することができる。
【００１８】
（３）前記摺接面部は、円弧部と、前記円弧部よりも径方向外方へ突出した凸部を有していてもよい。
この操作軸によれば、円弧部に係止部材が接触した状態のときに係止部材が係止凹部に係止し、操作軸を回動させて凸部に係止部材が接触した状態のときに係止部材が移動して係止凹部から離脱することができる。
【００１９】
（４）前記係止部材は、Ｕ形に形成されており、前記Ｕ形の中間部分に設けられて前記操作軸の摺接面部と摺接する摺接部と、前記係止凹部と係脱可能に前記Ｕ形の両端部に設けられた係止部とを有していてもよい。
このようにすれば、硬貨一括投入口カバーの硬貨投入スリットに係止部材を干渉させないようにすることができる。
【００２０】
（５）一方向に回動させた前記操作軸を他方向に回動させるよう付勢する操作軸用付勢部材をさらに備えてもよい。
このようにすれば、操作軸を一方向に回動させてロックを解除して硬貨一括投入口カバーを開いた後、操作軸を自由状態にすると操作軸用付勢部材によって操作軸が自動的に元の状態に戻り、かつ係止部材用付勢部材によって係止部材が自動的に操作軸側へ移動する。つまり、その後で硬貨一括投入口カバーを閉じた場合に係止部材が係止凹部に係止できる状態に戻る。
【００２１】
（６）前記操作軸は、前記外面側の端部に鍵と嵌合する鍵嵌合部を有していてもよい。
このようにすれば、簡易な形状の鍵を用いて操作軸を回動操作することができる。
【００２２】
以下、図面を参照しながら本発明の硬貨一括投入口カバーの開閉構造およびそれを備えた自動釣銭入出金機の実施形態について説明する。
【００２３】
（実施形態１）
図１は本発明の自動釣銭入出金機の実施形態１を示すブロック図であり、図２は実施形態１の自動釣銭入出金機を示す斜視図であり、図３は実施形態１の自動釣銭入出金機を示す正面図である。
【００２４】
＜自動釣銭入出金機の全体構成について＞
本発明の実施形態１の自動釣銭入出金機１００は、ボックス形の３つの硬貨収納出金装置１（１Ａ、１Ｂ、１Ｃ）を備えると共に、筐体１００ａに取り付けられた硬貨投入スリット１０１を有する硬貨一括投入口カバー３０を備える。
さらに、自動釣銭入出金機１００は、硬貨投入スリット１０１または後述する硬貨一括投入口１３１（図５参照）に投入された硬貨（貨幣）Ｋの金種を識別する硬貨識別部１０２と、金種を識別された硬貨Ｃをいずれかの硬貨収納出金装置１に搬送する搬送通路１０３ａを有する硬貨搬送部１０３と、各硬貨収納出金装置１に対応するモータＭと、硬貨収納出金装置１内の硬貨Ｃを釣銭として払い出す硬貨払出口１０４と、硬貨識別部１０２、硬貨搬送部１０３および硬貨収納出金装置１と電気的に接続される制御部１０５とを備える。
【００２５】
詳しく説明すると、この自動釣銭入出金機１００は、１円および５円硬貨を個別に収納する硬貨収納出金装置１Ａと、１０円および５０円硬貨を個別に収納する硬貨収納出金装置１Ｂと、１００円および５００円硬貨を個別に収納する硬貨収納出金装置１Ｃとを備え、さらに、各硬貨収納出金装置１がオーバーフローする硬貨Ｃを収納する予備硬貨収納ボックス２を備えている。
【００２６】
自動釣銭入出金機１００の筐体１００ａは直方体形であり、筐体１００ａの短辺方向に配置された平行な広い二側面のうちの一側面には、自動釣銭入出金機１００内に設けられた収容スペースに３つの硬貨収納出金装置１を着脱可能に装着するための開口部が形成されている。そして、その収容スペースには、各硬貨収納出金装置１に対応する３つのモータＭが設けられており、各モータＭの出力は駆動ギアを介して各硬貨収納出金装置１の硬貨排出機構に設けられた回転力伝達部の各ギアに伝達されて硬貨の払い出しが行われる。
【００２７】
硬貨収納出金装置１は、釣銭使用頻度の高い硬貨（１円、１０円または１００円硬貨）を収納する容積が大きい第１室と、釣銭使用頻度が低い硬貨（５円、５０円または５００円硬貨）を収納する容積が小さい第２室とを有する。
実施形態１の場合、硬貨収納出金装置１Ａの第１室１Ａａと第２室１Ａｂには１円硬貨と５円硬貨が収納され、硬貨収納出金装置１Ｂの第１室１Ｂａと第２室１Ｂｂには１０円硬貨と５０円硬貨が収納され、硬貨収納出金装置１Ｃの第１室１Ｃａと第２室１Ｃｂには１００円硬貨と５００円硬貨が収納される。
なお、１つの硬貨収納出金装置１内に収納する使用頻度の高い硬貨と低い硬貨の組み合わせは自由であり、例えば、１円硬貨と５０円または５００円硬貨の組み合わせ、１０円硬貨と５円または５００円硬貨の組み合わせ、１００円硬貨と５円または５０円硬貨の組み合わせであってもよい。
【００２８】
また、図示省略するが、この自動釣銭入出金機１００は、複数種類の紙幣（例えば、千円、五千円および一万円札）を種類別に収納出金可能な紙幣収納出金装置と、紙幣導入口と、この紙幣導入口に導入された紙幣の金種を識別する紙幣識別部と、金種を識別された紙幣を紙幣収納出金装置に搬送する搬送通路を有する紙幣搬送部と、紙幣収納出金装置内の紙幣を釣銭として払い出す紙幣払出口とを備えてもよい。この場合、制御部１０５は、紙幣識別部、紙幣搬送部および紙幣収納出金装置とも電気的に接続される。
【００２９】
硬貨識別部１０２は、従来公知の方法、例えば硬貨の大きさ（厚みを含む）、重量、材質等から金種を識別し、硬貨識別信号を制御部１０５へ送信する。また、紙幣識別部は、従来公知の方法、例えば紙幣の印刷パターン（透かしを含む）、印刷インクの材質、縦横寸法等から金種を識別し、紙幣識別信号を制御部１０５へ送信する。
【００３０】
硬貨搬送部１０３は、搬送通路１０３ａ上に設けられた図示しない硬貨移動機構と、所定の硬貨収納出金装置１の後述する第１室１Ａａまたは第２室１Ａｂへ硬貨が搬送されるように搬送通路１０３ａを切り換える複数の搬送通路切換機構１０３ｂを有している。
硬貨移動機構は、搬送通路１０３ａ上に設けられたゴム製のエンドレスベルトと、エンドレスベルトを張架しかつ回転させる複数のプーリーおよびモータ等を備えてなり、搬送通路１０３ａ上に寝た硬貨の平坦面にエンドレスベルトが接触しながら搬送方向（矢印Ａ方向）へ移動することにより、硬貨を搬送通路１０３ａ上で滑らせて搬送するよう構成されている。
【００３１】
搬送通路切換機構１０３ｂは、ソレノイド１０３ｂ1と、ソレノイド１０３ｂ1によって所定の硬貨収納出金装置１へ通じる搬送通路１０３ａに設けられた連通穴を開閉するシャッター１０３ｂ2とを有してなる。
【００３２】
制御部１０５は、硬貨識別部１０２からの硬貨識別信号を受信し、硬貨識別信号に応じて所定の硬貨収納出金装置１の第１室または第２室へ硬貨を搬送する搬送指令信号を搬送通路切換機構１０３ａへ送信するように構成されている。
例えば、制御部１０５は、硬貨識別部１０２からの１円硬貨の硬貨識別信号を受信すると、硬貨収納出金装置１Ａの第１室１Ａａへ硬貨を搬送する搬送指令信号を搬送通路切換機構１０３ａのソレノイド１０３ｂ1へ送信する。これにより、硬貨収納出金装置１Ａの第１室１Ａａに対応するソレノイド１０３ｂ1が作動してシャッター１０３ｂ2を開くため、搬送通路１０３ａ上を移動する１円硬貨が硬貨収納出金装置１Ａの第１室１Ａａに落下して収納される。
【００３３】
なお、自動釣銭入出金機１００には、各硬貨収納出金装置１に収納される硬貨を金種毎にカウントする図示しないセンサが設けられており、制御部１０５はこれらのセンサからの出力信号に基づいてオーバーフローする硬貨を金種毎に判断して予備硬貨収納ボックス２へ搬送するよう硬貨搬送部１０３の後述する搬送通路切換機構１０３ｂの動作を制御する。
【００３４】
また、制御部１０５は、釣銭が必要となったときに所定の硬貨収納出金装置１のモータＭへ正回転および／または逆回転を指令する回転指令信号を送信するように構成されている。この際、制御部１０５は、硬貨識別部１０２にて金種を識別された硬貨の枚数を計数して合計金額を算出し、かつ外部からの商品代金信号を受信し、合計金額と商品代金信号に含まれる金額とを比較して釣銭が必要であるか否かを判断し、釣銭が必要な場合に釣銭に応じた硬貨収納出金装置１のモータＭへ正回転および／または逆回転の指令信号を送信する。
【００３５】
図４は実施形態１の自動釣銭入出金機における硬貨一括投入口カバーのロック部を解除する様子を示す説明図であり、図５は実施形態１の自動釣銭入出金機における硬貨一括投入口カバーが開いた状態を示す部分的な斜視図である。
図３〜図５に示すように、自動釣銭入出金機１００の筐体１００ａの長辺方向に配置された正面において、上部には前記硬貨一括投入口１３１が設けられ、下部には前記硬貨払出口１０４、紙幣差入口１４１および紙幣払出口１４２が設けられている。なお、硬貨払出口１０４および紙幣払出口１４２は上下方向に揺動して開閉する透明カバー１０４ａ、１４２ａにて覆われている。
【００３６】
＜硬貨一括投入口カバーの開閉構造について＞
図６は実施形態１におけるロック部の操作軸を示す斜視図であり、図７は実施形態１におけるロック部の操作軸の周辺構造を示す一部断面側面図である。また、図８（Ａ）は実施形態１におけるロック部のロック状態を示す説明図であり、図８（Ｂ）は実施形態１におけるロック部のロック解除状態を示す説明図である。また、図９は実施形態１の自動釣銭入出金機における硬貨一括投入口カバーが閉じた状態を示す簡略右側断面図であり、図１０は実施形態１の自動釣銭入出金機における硬貨一括投入口カバーが開いた状態を示す簡略右側断面図である。
【００３７】
図３〜図１０に示すように、この自動釣銭入出金機１００の硬貨一括投入口カバー３０の開閉構造は、複数枚の硬貨を一括投入可能な硬貨一括投入口１３１を有する自動釣銭入出金機１００の筐体１００ａと、硬貨一括投入口１３１を開閉させるよう筐体１００ａに揺動可能に取り付けられた硬貨一括投入口カバー３０と、硬貨一括投入口１３１を閉じた状態に硬貨一括投入口カバー３０をロックするロック部４０と、筐体１００ａに設けられて硬貨一括投入口カバー３０を開く方向に付勢する左右一対の付勢機構部５０とを備える。
【００３８】
硬貨一括投入口１３１は、自動釣銭入出金機１００内のいずれかの硬貨が少なくなった場合に管理者が硬貨を複数枚（例えば１００枚）一括投入して補充するための開口部であり、正面から視て矩形状に形成されている。
【００３９】
なお、実施形態１の場合、図２に示すように、自動釣銭入出金機１００は、硬貨一括投入口１３１と硬貨搬送部１０３との間に、上流側の硬貨搬送部１０６と、ドラム部１０７とを有しており、硬貨一括投入口１３１に一括的に投入された複数枚の硬貨は硬貨搬送部１０６にてランダムにドラム部１０７まで搬送され、ドラム部１０７によって硬貨を１枚ずつ下流側の硬貨搬送部１０３に送り込み、硬貨搬送部１０３にて１枚ずつ搬送される硬貨の金種を硬貨識別部１０２にて識別するように構成されている。
【００４０】
自動釣銭入出金機１００の筐体１００ａにおいて、硬貨一括投入口１３１の下端部の左右にＵ字形の凹形受け部１３２が設けられている。この左右一対の凹形受け部１３２に硬貨一括投入口カバー３０の後述の取付軸３１の両端部が嵌め入れられる。
また、筐体１００ａにおける硬貨一括投入口１３１の左右にはリブ１３０が設けられると共に、各リブ１３０の上端部にＵ字形の係止凹部１３３が設けられている。この左右一対の係止凹部１３３は、硬貨一括投入口カバー３０の後述のロック部４０を構成する一部分である。
【００４１】
硬貨一括投入口カバー３０は、閉状態のときの内面３０ａ2に複数のリブを有するカバー本体３０ａと、硬貨を１枚ずつ投入可能な幅でカバー本体３０ａに縦方向に形成された硬貨投入スリット１０１と、閉状態のカバー本体３０ａにおける硬貨投入スリット１０１の下方に設けられた鍵嵌合部４１ａを有するロック部４０と、閉状態のカバー本体３０ａにおける下端部に水平方向に設けられたボス部３２と、ボス部３２の孔を挿通した取付軸３１と、カバー本体３０ａの外面３０ａ1側に上下方向へ揺動可能に設けられた硬貨投入スリット１０１を覆う透明カバー３３とを備える。なお、カバー本体３０ａの外面３０ａ1の硬貨投入スリット１０１が設けられた部分は、硬貨を硬貨投入スリット１０１へ入れ易くするために後方へ陥没している。
【００４２】
また、取付軸３１は、その両端部の近傍に、円弧面部３１ａ1を外周部に有する円板形の当接部材３１ａを有している。この当接部材３１ａは、その外周部の一部が円弧面部３１ａ1となっている。そして、この円弧面部３１ａ1の曲率中心、すなわち、円弧面部３１ａ1と一致する同心円の中心は、取付軸３１の軸心Ｐと一致している。なお、実施形態１の場合、硬貨一括投入口カバー３０は開閉の際に約１８０°回動するため、硬貨一括投入口カバー３０と一体状に回動する当接部材３１ａの円弧面部３１ａ1は中心角度１８０°以上の範囲であって、少なくとも後述するピン５１と接触する範囲に亘って設けられている。
【００４３】
ロック部４０は、硬貨一括投入口カバー３０のカバー本体３０ａの外面３０ａ1側から内面３０ａ2側に亘って貫通して回動可能に設けられた操作軸４１と、回動する操作軸４１における前記内面３０ａ2側の外周面と摺接するよう硬貨一括投入口カバー３０の内面３０ａ2側に設けられた係止部材４２と、係止部材４２を操作軸４１側へ付勢する係止部材用付勢部材４３と、一方向に回動させた操作軸４１を他方向に回動させるよう付勢する操作軸用付勢部材４４と、係止部材４２と係脱可能に筐体１００ａに設けられた前記係止凹部１３３とを有する。
【００４４】
図６と７に示すように、操作軸４１は、軸心方向に所定間隔で設けられた第１大径部４１ｂおよび第２大径部４１ｃと、第１大径部４１ｂの端面（前端面）に設けられた四角凸形の前記鍵嵌合部４１ａと、第１・第２大径部４１ｂ、４１ｃ間に設けられて係止部材４２と摺接する外周面を有する摺接面部４１ｄと、第２大径部４１ｃの端面（後端面）に設けられた小径部４１ｅとを有し、鍵嵌合部４１ａ、第１・第２大径部４１ｂ、４１ｃおよび小径部４１ｅの回転中心が操作軸４１の軸心Ｇ1となっている。
【００４５】
第１大径部４１ｂは、その外周面の一部に周方向に延びる円弧形突条４１ｂ1を有している。この円弧形突条４１ｂ1は、軸心Ｇ1に対して中心角度約９０°の範囲で第１大径部４１ｂの外周面設けられている。
【００４６】
第２大径部４１ｃの一部には軸心Ｇ1と平行な貫通孔４１ｃ1が形成されている。この貫通孔４１ｃ1には、操作軸用付勢部材４４としてのねじりコイルバネの一端が差し込まれている。なお、ねじりコイルバネのコイル部分は小径部４１ｅの周りに配置され、ねじりコイルバネの他端は小径部４１ｅから径方向外方へ突出して他の固定部材に係止している。
【００４７】
摺接面部４１ｄは、円弧部４１ｄ1と、円弧部４１ｄ1よりも軸心Ｇ1側に凹んだ平坦面からなる凹部４１ｄ2とを有し、その横断面は半円形に形成されている。このとき、凹部４１ｄ2の平坦面は軸心Ｇ1上に平行に配置されている。
操作軸４１は、図７に示すように、硬貨一括投入口カバー３０のカバー本体３０ａに形成された装着孔３０ａｘに回動可能に嵌め込まれて装着される。
【００４８】
この装着孔３０ａｘは、例えば次のように構成されている。
装着孔３０ａｘは、操作軸４１の第１大径部４１ｂの外径とほぼ同じ内径を有し、カバー本体３０ａの外面３０ａ1側には内フランジ部３０ａｘ1が設けられている。さらに、装着孔３０ａｘの内周面の一部には操作軸４１の円弧形突条４１ｂ1が回動可能に嵌り込む円弧形凹部３０ａｘ2が形成されている。この円弧形凹部３０ａｘ2は、円弧形突条４１ｂ1が嵌り込みかつ回動する所定範囲に亘って設けられており、例えば、軸心Ｇ1に対して約１８０°の中心角度の範囲に亘って設けられている。
【００４９】
円弧形突条４１ｂ1を円弧形凹部３０ａｘ2に嵌め込むようにしてカバー本体３０ａの内面３０ａ2側から操作軸４１を装着孔３０ａｘに嵌め入れた後、円弧形突条４１ｂ1に対応する形状の抜け止め部材３０ａｙを取り付ける。これにより、操作軸４１が装着孔３０ａｘから抜け出ることなく回動可能に保持される。また、円弧形突条４１ｂ1は円弧形凹部３０ａｘ2内でのみ回動可能であるため、操作軸４１は約９０°の範囲でのみ回動する。
【００５０】
硬貨一括投入口カバー３０に装着されたロック部４０のロック状態（図７参照）において、操作軸４１の凹部４１ｄ2は上方に配置され、かつ円弧部４１ｄ1は下方に配置される。円弧形突条４１ｂ1および円弧形凹部３０ａｘ2の形成位置は、このように操作軸４１の凹部４１ｄ2および円弧部４１ｄ1が配置されるように決定される。
【００５１】
図８（Ａ）に示すように、Ｕ形の係止部材４２は、Ｕ形の中間部分に設けられて操作軸４１の摺接面部４１ｄと摺接する水平棒状の摺接部４２ａと、前記係止凹部１３３と係脱可能にＵ形の両端部に設けられた水平棒状の係止部４２ｂとを有し、例えば、１本の金属棒をＵ形に折り曲げて形成される。
【００５２】
係止部材用付勢部材４３は、例えばコイルバネからなり、係止部材４２の摺接部４２ａを操作軸４１側へ押圧するものであり、硬貨一括投入口カバー３０のカバー本体３０ａの内面３０ａ２に取り付けられたバネケース４５内に収納されている。
【００５３】
バネケース４５は、硬貨一括投入口カバー３０のカバー本体３０ａの内面３０ａ2に取り付けられた下方開口部を有する角筒形のケースである。バネケース４５は、下方開口部を操作軸４１の方へ向けて設置され、その下方開口部の左右側には係止部材４２の摺接部４２ａの上下移動を妨げないようにする第１の切欠き部４５ａが形成されている。さらに、バネケース４５の下方開口部の前後側には操作軸４１の摺接面部４１ｄの円弧部４１ｄ1の回動を妨げないようにする第２の切欠き部４５ｂが形成されている。
【００５４】
付勢機構部５０は、図９に示すように、硬貨一括投入口カバー３０のカバー本体３０ａの内面３０ａ2と接触可能なピン５１と、このピン５１を筐体１００ａに保持するホルダ部５２と、このホルダ部５２とピン５１との間に設けられてピン５１を閉状態の硬貨一括投入口カバー３０へ押し付ける弾発部材５３とを有してなる。
【００５５】
ホルダ部５２は、筐体１００ａのピン挿通孔が形成されたピン取付位置の後面に設けられた筒部５２ａと、筒部５２ａの後端部に固定された蓋部５２ｂとからなる。
ピン５１は、筐体１００ａのピン挿通孔に挿通されてホルダ部５２の筒部５２ａ内に収納された後端膨出部５１ａを有する。
弾発部材５３は、ホルダ部５２の筒部５２ａ内に収納されてピン５１の膨出部５１ａを前方へ付勢するコイルスプリングからなる。
【００５６】
＜硬貨一括投入口カバーの開閉動作について＞
このように構成された硬貨一括投入口カバー３０の開閉構造によれば、図４、７および８（Ａ）に示すように、硬貨一括投入口カバー３０にて硬貨一括投入口１３１を閉じた状態においては、係止部材用付勢部材４３によって係止部材４２の摺接部４２ａが操作軸４１の水平平坦面の凹部４１ｄ2へ押し付けられると共に、係止部材４２の左右に折れ曲がった係止部４２ｂが下方へ付勢されて左右一対の係止凹部１３３に係止している。このとき、付勢機構部５０のピン５１の前端は弾発部材５３の付勢力によってカバー本体３０ａの内面３０ａ2を押圧すると共に、当接部材３１ａの円弧面部３１ａ1に接触している。
【００５７】
硬貨一括投入口カバー３０の閉状態においては、透明カバー３３を上げて硬貨投入スリット１０１に硬貨を１枚ずつ投入すると、前記硬貨搬送部１０６、ドラム部１０７、硬貨識別部１０２および硬貨搬送部１０３を経て金種に対応した硬貨収納出金装置１の第１室または第２室へ送られる（図１および図２参照）。
【００５８】
自動釣銭入出金機１００内のいずれかの硬貨収納出金装置１に収納された硬貨が少なくなった場合、管理者がロック部４０のロックを解除して硬貨一括投入口カバー３０を開き、硬貨一括投入口１３１に硬貨を複数枚一括投入して補充する必要がある。この際、図４に示すように、管理者は透明カバー３３を上げて四角凸形の鍵嵌合部４１ａに四角凹形の鍵Ｋを嵌め込み、操作軸用付勢部材４４の付勢力に抗して操作軸４１を一方向（例えば、時計回り）に約９０°回動させる（図４参照）。
【００５９】
これにより、図８（Ｂ）に示すように、操作軸４１の凹部４１ｄ2の平坦面が水平状態から垂直状態となる。このとき、凹部４１ｄ2と円弧部４１ｄ1との間の一方の角部４１ｄ3が円弧軌道を描きながら上昇することにより、この角部４１ｄ3に係止部材４２の摺接部４２ａが摺接しながら押し上げられる。これにより、係止部材用付勢部材４３の付勢力に抗して係止部材４２の係止部４２ｂが上方へ移動して左右一対の係止凹部１３３から離脱してロックが解除される。
【００６０】
したがって、操作軸４１の摺接面部４１ｄの半径ｒ1が係止部材４２の移動距離Ｑとなる。この移動距離Ｑは、係止部４２ｂが係止凹部１３３を乗り越えることが可能な距離であればよく、例えば、係止凹部１３３の深さＤ以上に設定され、本実施形態では深さＤより長く設定されている。なお、移動距離Ｑが深さＤより僅かに短く設定されていても、係止部４２ｂの外面および係止凹部１３３の上端が丸みを有していれば、硬貨一括投入口カバー３０が後述のようにポップアップする際に係止部４２ｂが係止凹部１３３の上端を摺動しながら乗り越えることも可能である。
【００６１】
そして、鍵Ｋを回したままの状態で鍵嵌合部４１ａから引き抜く動作をすると、図１０に示すように、ピン５１にて前方へ押圧されていた硬貨一括投入口カバー３０がポップアップする。このとき、取付軸３１および当接部材３１ａは、硬貨一括投入口カバー３０と一体状に約１８０°回動する。この間、円弧面部３１ａ1の曲率中心は取付軸３１の軸心Ｐと一致しているため、ピン５１は当接部材３１ａによって垂直方向に押し上げられることなく円弧面部３１ａ1に摺接しながら前方へ突出する。したがって、ピン５１によって硬貨一括投入口カバー３０のポップアップと取付軸３１の凹形受け部１３２からの離脱防止の両方が行われている。
【００６２】
また、鍵Ｋを鍵嵌合部４１ａから引き抜くと、操作軸用付勢部材４４の付勢力によって操作軸４１が反対方向に回動する。つまり、操作軸４１は、図８（Ｂ）の状態から図８（Ａ）の状態となる。このとき、操作軸４１の前記角部４１ｄ3が円弧軌道を描きながら移動することにより、係止部材用付勢部材４３の付勢力によって操作軸４１の方へ付勢された係止部材４２は、その摺接部４２ａが角部４１ｄ3に摺接しながら移動して操作軸４１の凹部４１ｄ2に嵌り込む。
【００６３】
硬貨の補充後、硬貨一括投入口カバー３０を持ち上げて閉じることにより、ロック部４０の係止部材４２の左右の係止部４２ｂが、筐体１００ａの左右のリブ１３０上を摺動して左右の係止凹部１３３に落ち込んで係止する。これにより、硬貨一括投入口カバー３０がロック部４０にて再びロックされる。
【００６４】
（実施形態２）
図１１（Ａ）は実施形態２におけるロック部のロック状態を示す説明図であり、図１１（Ｂ）は実施形態２におけるロック部のロック解除状態を示す説明図である。なお、図１１（Ａ）および（Ｂ）において、図８（Ａ）および（Ｂ）中の要素と同様の要素には同一の符号を付している。
実施形態２の場合、ロック部１４０の操作軸１４１の摺接面部１４１ｄの形状が異なる以外は実施形態１と同様に構成されている。
【００６５】
実施形態２の操作軸１４１において、摺接面部１４１ｄは、軸心Ｇ2を中心とする円弧部１４１ｄ1と、円弧部１４１ｄ1よりも径方向外方へ突出した凸部１４１ｄ2とを有してなり、横断面形状がカム形に形成されている。具体的には、操作軸１４１の回動範囲が９０°であるとすると、図１１（Ｂ）のように操作軸１４１を９０°回動させたときに凸部１４１ｄ2の頂部が係止部材４２の摺接部４２ａに接触するカム形状に形成される。このとき、軸心Ｇ2から凸部１４１ｄ2の頂部までの距離Ｔから摺接面部１４１ｄの半径ｒ2を差し引いた距離が、係止部４２ｂの移動距離Ｑとなる。
なお、図示省略するが、実施形態２でも、ロック解除後に鍵を鍵嵌合部から引き抜くと、操作軸用付勢部材の付勢力によって操作軸１４１が反対方向に回動する。つまり、操作軸１４１は、図１１（Ｂ）の状態から図１１（Ａ）の状態となる。
【００６６】
（実施形態３）
実施形態１および２では、弾発部材５３にて付勢されたピン５１によって硬貨一括投入口カバー３０がポップアップするように構成された場合を例示したが、この構成を省略し、ロック解除後に硬貨一括投入口カバー３０を手動で開けるようにしてもよい。
【００６７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６８】
１、１Ａ、１Ｂ、１Ｃ  硬貨収納出金装置
３０  硬貨一括投入口カバー
３０ａ1  外面
３０ａ2  内面
４０、１４０  ロック部
４１、１４１  操作軸
４１ａ  鍵嵌合部
４１ｄ  摺接面部
４１ｄ1、１４１ｄ1  円弧部
４１ｄ2  凹部
４２  係止部材
４２ａ  摺接部
４２ｂ  係止部
４３  係止部材用付勢部材
４４  操作軸用付勢部材
１００  自動釣銭入出金機
１００ａ  筐体
１０１  硬貨投入スリット
１０２  硬貨識別部
１０３  硬貨搬送部
１０４  硬貨払出口
１３１  硬貨一括投入口
１３３  係止凹部
１４１ｄ2  凸部
Ｃ  硬貨
Ｇ1、Ｇ2  軸心
Ｋ  鍵
【図１】
0006572134.tif 000002
【図２】
0006572134.tif 000003
【図３】
0006572134.tif 000004
【図４】
0006572134.tif 000005
【図５】
0006572134.tif 000006
【図６】
0006572134.tif 000007
【図７】
0006572134.tif 000008
【図８（Ａ）】
0006572134.tif 000009
【図８（Ｂ）】
0006572134.tif 000010
【図９】
0006572134.tif 000011
【図１０】
0006572134.tif 000012
【図１１（Ａ）】
0006572134.tif 000013
【図１１（Ｂ）】
0006572134.tif 000014